(57)【要約】【課題】組立作業性を損なうことなく、商品の姿勢制御を良好に行うことができる自動販売機の商品収納装置を提供すること。【解決手段】ベース側板１１に配設されて商品収納通路１３を画成する通路形成部材１２と、常態においてはフラッパ用バネ１５に付勢されて商品収納通路１３に進出移動し、商品に当接することによりフラッパ用バネ１５の付勢力に抗して退行移動して商品の通過姿勢を修正するフラッパ１４と、商品収納通路１３の上方域の通過域１９に進退移動する態様で揺動可能に配設され、常態においては姿勢制御用バネ３１に付勢されて通過域１９に進行移動し、通過域１９を通過する商品に当接することにより姿勢制御用バネ３１の付勢力に抗して退避移動して商品の投入姿勢を整える姿勢制御部材３０を備え、姿勢制御部材３０は、退避移動する場合に、自身の揺動支点側における最上位のフラッパ１４に当接して該フラッパ１４を退行移動させるものである。【選択図】図２
2012113562.tif 000002
【特許請求の範囲】
【請求項１】
左右一対のベース側板に配設されて上下方向に沿って延在して商品を横倒し姿勢で順次収納する商品収納通路を画成する通路形成部材と、
前記商品収納通路に対して進退移動する態様で前記通路形成部材に揺動可能に配設され、常態においては第１付勢手段に付勢されて商品収納通路に進出移動し、該商品収納通路を通過する商品に当接することにより前記第１付勢手段の付勢力に抗して退行移動して該商品の通過姿勢を修正するフラッパと、
前記商品収納通路の上方域における商品の通過域に進退移動する態様で揺動可能に配設され、常態においては第２付勢手段に付勢されて前記通過域に進行移動し、該通過域を通過する商品に当接することにより前記第２付勢手段の付勢力に抗して退避移動して該商品の投入姿勢を整える姿勢制御部材と
を備え、
払出指令が与えられた場合に前記商品収納通路に収納された商品のうち最下位の商品を下方へ払い出す自動販売機の商品収納装置において、
前記姿勢制御部材は、前記退避移動する場合に、自身の揺動支点側における最上位のフラッパに当接して該フラッパを退行移動させることを特徴とする自動販売機の商品収納装置。
【請求項２】
前記姿勢制御部材は、適用される商品収納通路の上下方向の長さに応じて延在長さが決められていることを特徴とする請求項１に記載の自動販売機の商品収納装置。
【発明の詳細な説明】
【技術分野】
【０００１】
本発明は、自動販売機の商品収納装置に関し、より詳細には、例えば缶入り飲料やペットボトル入り飲料等の商品を販売する自動販売機に適用される商品収納装置に関するものである。
【背景技術】
【０００２】
従来、例えば缶入り飲料やペットボトル入り飲料等の商品を販売する自動販売機の商品収納装置としてサーペンタイン式商品ラックが知られている。このような商品収納装置は、左右に対向して立設された一対のベース側板の間にセグメントと称される複数の通路構成要素が架設されることにより、上下方向に沿って蛇行状に延在する態様で画成された商品収納通路を有している。また、この商品収納装置には、商品収納通路の下方側に最下位にある商品を切り出して払い出すための払出機構が設けられている。更に、商品収納通路が最前列あるいは最前列から２番目の列となる商品収納装置では、商品収納通路の上方側に姿勢制御板が設けられている。姿勢制御板は、商品収納通路の上方域における商品の通過域に進退移動する態様で一対のベース側板間に揺動可能に配設され、常態においては姿勢制御用バネに付勢されて通過域に進行移動し、該通過域を通過する商品に当接することにより姿勢制御用バネの付勢力に抗して退避移動して該商品の投入姿勢を整えるものである。
【０００３】
このような商品収納装置において、姿勢制御板は、投入口を通じて投入されて商品収納通路に搬入される以前の商品に当接して該商品の姿勢を整えるようにしている（例えば、特許文献１参照）。
【０００４】
一方、上述した商品収納装置とは異なり、左右に対向して立設された一対のベース側板の間に蛇行状に屈曲して構成した通路形成部材が配設されることにより、上下方向に沿って蛇行状に延在する態様で画成された商品収納通路を有した商品収納装置が知られている（例えば、特許文献２参照）。
【０００５】
かかる商品収納装置では、通路形成部材における商品収納通路に向けて突出する突出部にフラッパが設けられている。このフラッパは、商品収納通路に対して進退移動する態様で通路形成部材の突出部に揺動可能に配設され、常態においてはフラッパ用バネに付勢されて商品収納通路に進出移動し、該商品収納通路を通過する商品に当接することによりフラッパ用バネの付勢力に抗して退行移動して該商品の通過姿勢を修正するものである。
【先行技術文献】
【特許文献】
【０００６】
【特許文献１】特許第４２７１１０４号公報
【特許文献２】特許第４３４５６６４号公報
【発明の概要】
【発明が解決しようとする課題】
【０００７】
ところで、上述した特許文献２のように通路形成部材により商品収納通路が画成され、かつ上述した特許文献１のように該商品収納通路の上方域に姿勢制御板が設けられた商品収納装置では、姿勢制御板と最上位のフラッパとがともに商品収納通路の一方側に取り付けられること、すなわち姿勢制御板の揺動支点と、最上位のフラッパの揺動支点とがともに商品収納通路の一方側（例えば後方側）に設けられることがある。
【０００８】
このような商品収納装置では、姿勢制御板に当接して投入姿勢が整えられた商品は、最上位のフラッパに当接せずに通過することがあり、最上位のフラッパが機能を発揮しないことがあった。そのため、最上位のフラッパを付勢するフラッパ用バネを取り外して、該フラッパを垂下した状態にさせて商品収納通路を構成させていた。
【０００９】
このように最上位のフラッパのフラッパ用バネを取り外していたために、上記商品収納装置では組立作業が煩雑なものとなる問題があった。
【００１０】
本発明は、上記実情に鑑みて、組立作業性を損なうことなく、商品の姿勢制御を良好に行うことができる自動販売機の商品収納装置を提供することを目的とする。
【課題を解決するための手段】
【００１１】
上記目的を達成するために、本発明の請求項１に係る自動販売機の商品収納装置は、左右一対のベース側板に配設されて上下方向に沿って延在して商品を横倒し姿勢で順次収納する商品収納通路を画成する通路形成部材と、前記商品収納通路に対して進退移動する態様で前記通路形成部材に揺動可能に配設され、常態においては第１付勢手段に付勢されて商品収納通路に進出移動し、該商品収納通路を通過する商品に当接することにより前記第１付勢手段の付勢力に抗して退行移動して該商品の通過姿勢を修正するフラッパと、前記商品収納通路の上方域における商品の通過域に進退移動する態様で揺動可能に配設され、常態においては第２付勢手段に付勢されて前記通過域に進行移動し、該通過域を通過する商品に当接することにより前記第２付勢手段の付勢力に抗して退避移動して該商品の投入姿勢を整える姿勢制御部材とを備え、払出指令が与えられた場合に前記商品収納通路に収納された商品のうち最下位の商品を下方へ払い出す自動販売機の商品収納装置において、前記姿勢制御部材は、前記退避移動する場合に、自身の揺動支点側における最上位のフラッパに当接して該フラッパを退行移動させることを特徴とする。
【００１２】
また、本発明の請求項２に係る自動販売機の商品収納装置は、上述した請求項１において、前記姿勢制御部材は、適用される商品収納通路の上下方向の長さに応じて延在長さが決められていることを特徴とする。
【発明の効果】
【００１３】
本発明の自動販売機の商品収納装置によれば、姿勢制御部材が、退避移動する場合に、自身の揺動支点側における最上位のフラッパに当接して該フラッパを退行移動させるので、従来のように最上位のフラッパを付勢するフラッパ用バネを取り外す必要がなく、取り外し工程を削減することができるので、組立作業性を損なわない。しかも、姿勢制御部材が第２付勢手段の付勢力に抗して退避移動するだけでなく、最上位のフラッパに当接して該フラッパを付勢する第１付勢手段の付勢力にも抗して退避移動するので、商品の落下に対する減速効果を向上させることができる。従って、組立作業性を損なうことなく、商品の姿勢制御を良好に行うことができるという効果を奏する。
【図面の簡単な説明】
【００１４】
【図１】図１は、本発明の実施の形態である商品収納装置が適用された自動販売機の内部構造を示す断面側面図である。
【図２】図２は、図１に示した前方商品収納通路の上方域を拡大して示す説明図である。
【図３】図３は、図１及び図２に示した前方商品収納通路の上方域の通過域を商品が通過する場合について示す説明図である。
【図４】図４は、図３に示した商品が前方商品収納通路を通過する場合について示す説明図である。
【発明を実施するための形態】
【００１５】
以下に添付図面を参照して、本発明に係る自動販売機の商品収納装置の好適な実施の形態について詳細に説明する。
【００１６】
図１は、本発明の実施の形態である商品収納装置が適用された自動販売機の内部構造を示す断面側面図である。ここで例示する自動販売機は、商品を冷却、若しくは加熱した状態で販売するもので、本体キャビネット１、外扉２及び内扉３を備えている。
【００１７】
本体キャビネット１は、複数の鋼板を適宜組み合わせることによって前面が開口した直方状に構成したもので、その内部に断熱構造の商品収容庫４を有している。外扉２は、本体キャビネット１の前面開口を覆うためのもので、本体キャビネット１の一側縁部に開閉可能に配設してある。図には明示していないが、この外扉２の前面には、ディスプレイウィンドウ、商品選択ボタン、紙幣挿通口、硬貨投入口、返却レバー、一体表示器、硬貨返却口、商品取出口２ａ等々、商品を販売する際に必要となるものが設けてある。内扉３は、商品収容庫４の前面開口を覆うための断熱扉であり、外扉２よりも内方となる位置において本体キャビネット１の一側縁部に開閉可能に配設してある。この内扉３の下方部には、商品を商品収容庫４の外部に搬出するための商品搬出口３ａが設けてある。
【００１８】
また、上記自動販売機には、商品収容庫４の内部に商品シュータ５が設けてあり、この商品シュータ５よりも下方となる領域（以下、「熱交換領域」ともいう）に温度調節ユニット６が配設してある一方、商品シュータ５よりも上方となる領域（以下、「商品収納領域」ともいう）に商品収納装置１０が配設してある。
【００１９】
商品シュータ５は、商品収納装置１０から払い出された商品を内扉３の商品搬出口３ａに案内するためのプレート状部材であり、前方側に向けて漸次下方に傾斜する態様で配設してある。図には明示していないが、この商品シュータ５には、熱交換領域と商品収納領域との間を連通させる通気孔（図示せず）が多数穿設してある。
【００２０】
温度調節ユニット６は、商品収容庫４の内部雰囲気を所望の温度状態に維持するためのもので、冷凍サイクルの蒸発器６ａ、電熱ヒータ６ｂ及び送風ファン６ｃを備えて構成してある。この温度調節ユニット６においては、例えば冷凍サイクルを運転した状態で送風ファン６ｃを駆動すると、蒸発器６ａにおいて冷却された空気が商品シュータ５の通気孔を通じて上方に送給されるため、商品収納領域を低温状態に維持することができる。一方、電熱ヒータ６ｂに通電した状態で送風ファン６ｃを駆動すると、電熱ヒータ６ｂによって加熱された空気が商品シュータ５の通気孔を通じて上方に送給されるため、商品収納領域を高温状態に維持することができる。尚、冷凍サイクルの圧縮機、凝縮器及び膨張弁は、図には明示しないがいずれも商品収容庫４の外部となる機械室７に配設してある。
【００２１】
上記商品収納装置１０は、図示の例では前後３列に並ぶように配設してあり、一対のベース側板１１の間に通路形成部材１２を配設することによって上下方向に沿って蛇行状に構成した商品収納通路１３を備え、商品収納通路１３の内部に上下方向に沿って複数の商品を横倒しの姿勢で収納するものである。より詳細に説明すると、通路形成部材１２は、商品収納通路１３の前方側と後方側とに互いに対向するよう適宜配設したものであって、ベース側板１１に固定してある。
【００２２】
また、通路形成部材１２には、図２にも示すように、フラッパ１４が設けてある。フラッパ１４は、商品収納通路１３に対して進退移動する態様で通路形成部材１２に揺動可能に配設してある。このフラッパ１４は、フラッパ用バネ（第１付勢手段）１５に付勢されて常態においては商品収納通路１３に進出移動した姿勢となる。そして、商品収納通路１３を通過する商品に当接することにより自身はフラッパ用バネ１５の付勢力に抗して蛇行状の商品収納通路１３に沿うように退行移動して該商品の通過姿勢を修正するものである。
【００２３】
このような商品収納装置１０においては、商品収納通路１３の下方側に払出機構１６が設けてある一方、前から３列目以降の商品収納通路１３の上方側に投入口ガイド２０及びトップトレイ２１が設けてある。
【００２４】
払出機構１６は、通路幅規定板１７との間において商品の挙動を制御することにより、待機状態においては商品収納通路１３に商品を収納する一方、払出指令が与えられた場合には対応する商品を１つずつ商品シュータ５に払い出すように機能するものである。このような払出機構１６は、第１ペダル部材１６ａと第２ペダル部材１６ｂとを備えて構成してある。
【００２５】
第１ペダル部材１６ａは、商品収納通路１３に対して進退移動する態様で揺動可能に配設され、待機状態においては商品収納通路１３に進出移動することにより最下位の商品に当接して商品の下方への移動を規制する一方、払出指令が与えられた場合には商品収納通路１３から退行移動して該商品の下方への移動を許容するものである。第２ペダル部材１６ｂは、商品収納通路１３に対し進退移動する態様で揺動可能に配設され、待機状態においては商品収納通路１３から退行移動する一方、払出指令が与えられた場合には商品収納通路１３に対して進出移動して最下位から２番目の商品に当接して該商品の下方への移動を規制するものである。このような払出機構１６は、従来公知のものであり詳細な説明は割愛する。
【００２６】
投入口ガイド２０は、商品収納通路１３の上方域における商品の通過域１８に進退移動する態様で図示せぬ軸部材の軸心回りに揺動可能に配設してある。このような投入口ガイド２０は、投入口を通じて投入され、かつ商品収納通路１３に搬入される以前の商品に当接して該商品の姿勢を整えるものである。
【００２７】
トップトレイ２１は、平板状の板金を屈曲して構成されるもので、左右端部から側方に突出する係止突起（図示せず）がベース側板１１に設けられた図示せぬ係止孔に挿通することでベース側板１１の間に配設してある。このトップトレイ２１は、商品案内部２１ａと通路構成部２１ｂとを有している。
【００２８】
商品案内部２１ａは、前方から後方に向けて漸次下方に傾斜する部位であり、自身の後方に商品収納通路１３が存在する場合には、上面が投入口を通じて投入された商品を該商品収納通路１３まで案内する商品案内通路を構成するものである。尚、かかるトップトレイ２１の商品案内部２１ａは、自身の前方域に前方から後方に向けて漸次下方に傾斜する平板状の案内構成部２２がベース側板１１間に配設してある場合には、自身の上面が該案内構成部２２の上面とともに商品案内通路を構成する。通路構成部２１ｂは、商品案内部２１ａの後端部から下方に向けて屈曲した形態で延在する部位であり、自身の下方にある通路形成部材１２とともに商品収納通路１３を構成するものである。
【００２９】
更に上記商品収納装置１０においては、最前列及び前から２列目の商品収納通路１３（以下、前方商品収納通路１３ａともいう）の上方域に姿勢制御部材３０が設けてある。
【００３０】
姿勢制御部材３０は、前方商品収納通路１３ａの上方域における商品の通過域１９に進退移動する態様で、後方側の商品収納通路１３に商品を案内する案内部材２３に揺動可能に配設され、常態においては姿勢制御用バネ（第２付勢手段）３１に付勢されて通過域１９に進行移動し、該通過域１９を通過する商品に当接することにより姿勢制御用バネ３１の付勢力に抗して退避移動して該商品の投入姿勢を整えるためのものである。
【００３１】
このような姿勢制御部材３０の延在長さは、該姿勢制御部材３０が退避移動する場合に、自身の揺動支点側における最上位のフラッパ１４（以下、最上位フラッパ１４ともいう）に当接して該最上位フラッパ１４を退行移動させることが可能な大きさにしてある。より詳細には、姿勢制御部材３０の延在長さは、該姿勢制御部材３０が退避移動する場合に、自身の先端部３２が最上位フラッパ１４における先端域１４ａの上面に当接して該最上位フラッパ１４を退行移動させることが可能な大きさにしてある。
【００３２】
ここで姿勢制御部材３０は、適用される前方商品収納通路１３ａの上下方向の長さに応じて延在長さがパターン化されて決められている。このことについてより詳細に説明すると、前方商品収納通路１３ａの長さ（上下方向に沿った長さ）は、当該商品収納装置１０が有する商品収納通路１３の連数によって異なるものであり、連数が少ないほど前方商品収納通路１３ａの長さが大きくなるものである。そして、前方商品収納通路１３ａを含む商品収納通路１３は板金を屈曲させた通路形成部材１２により構成してあるために、前方商品収納通路１３ａの長さにより最上位フラッパ１４の配設個所も異なることになる。そこで、姿勢制御部材３０は、適用される前方商品収納通路１３ａの長さにより自身の延在長さがパターン化されて決められている。
【００３３】
以上のような構成を有する商品収納装置１０においては、投入口を通じて投入された商品が前方商品収納通路１３ａの上方域における通過域１９を通過する場合に、進行移動している姿勢制御部材３０に当接することになる。これにより、姿勢制御部材３０は、図３に示すように姿勢制御用バネ３１の付勢力に抗して退避移動する。そして、退避移動する姿勢制御部材３０の先端部３２が最上位フラッパ１４の先端域１４ａの上面に当接し、図４に示すように該最上位フラッパ１４をフラッパ用バネ１５の付勢力に抗して退行移動させる。これにより商品は投入姿勢が整えられ、前方商品収納通路１３ａを下方に向けて通過して順次収納される。その後に、前方商品収納通路１３ａの払出機構１６に払出指令が与えられると、最下位の商品が払い出され、商品シュータ５を転動して商品搬出口３ａを通過して商品取出口２ａより取出可能な状態になる。
【００３４】
以上説明したような本実施の形態である商品収納装置１０によれば、姿勢制御部材３０が、退避移動する場合に、自身の揺動支点側における最上位フラッパ１４に当接して該最上位フラッパ１４を退行移動させるので、従来のように最上位フラッパを付勢するフラッパ用バネを取り外す必要がなく、取り外し工程を削減することができるので、組立作業性を損なわない。しかも、姿勢制御部材３０が姿勢制御用バネ３１の付勢力に抗して退避移動するだけでなく、最上位フラッパ１４に当接して該最上位フラッパ１４を付勢するフラッパ用バネ１５の付勢力にも抗して退避移動するので、商品の落下に対する減速効果を向上させることができる。従って、組立作業性を損なうことなく、商品の姿勢制御を良好に行うことができる。
【００３５】
上記商品収納装置１０によれば、姿勢制御部材３０の延在長さが、該姿勢制御部材３０が退避移動する場合に、自身の先端部３２が最上位フラッパ１４における先端域１４ａの上面に当接して該最上位フラッパ１４を退行移動させることが可能な大きさにしてあるので、姿勢制御部材３０が退避移動する際に最上位フラッパ１４を確実に退行移動させることができる。特に姿勢制御部材の延在長さが過大となる場合には、姿勢制御部材の先端部の裏面側に最上位フラッパの先端が当接することがある。このように当接してしまうと、姿勢制御部材と最上位フラッパとが引っ掛かってしまい、最上位フラッパを退行移動させることができずに商品詰まりを発生させてしまうことがあるが、本実施の形態である商品収納装置１０では最上位フラッパ１４を確実に退行移動させることができるため、商品詰まりが発生する虞れがない。
【産業上の利用可能性】
【００３６】
以上のように、本発明に係る自動販売機の商品収納装置は、例えば缶入り飲料やペットボトル入り飲料等の商品を販売する自動販売機に有用である。
【符号の説明】
【００３７】
１０  商品収納装置
１１  ベース側板
１２  通路形成部材
１３  商品収納通路
１３ａ  前方商品収納通路
１４  フラッパ
１４ａ  先端域
１５  フラッパ用バネ
１６  払出機構
１９  通過域
２０  投入口ガイド
２１  トップトレイ
２３  案内部材
３０  姿勢制御部材
３１  姿勢制御用バネ
３２  先端部
【図１】
2012113562.tif 000003
【図２】
2012113562.tif 000004
【図３】
2012113562.tif 000005
【図４】
2012113562.tif 000006